(57)【要約】【課題】ＩＣタグの外側に突出するのを防止するとともに、ＩＣタグの非接触通信が収納物によって阻害されるのを防止することができる搬送コンテナ及びＩＣタグ通信保護部材を提供する。【解決手段】コンテナ１０は、底板１３と、底板１３の周縁に沿って設けられた側板１１，１２とを有したコンテナ１０であって、コンテナ１０の外側の面に固定され、リーダライタと非接触で通信可能なＩＣタグ２０と、ＩＣタグ２０を固定した位置に対応するコンテナ１０の内側の面に設けられ、複数の凸状の部材を有した突起部１２Ａとを備える。【選択図】図１
2009067392.tif 000002
【特許請求の範囲】
【請求項１】
底板と、前記底板の周縁に沿って設けられた側板とを有した搬送コンテナであって、
当該搬送コンテナの外側の面に固定され、外部機器と非接触で通信可能なＩＣタグと、
前記ＩＣタグを固定した位置に対応する当該搬送コンテナの内側の面に設けられ、複数の凸状の部材を有した突起部と、
を備える搬送コンテナ。
【請求項２】
請求項１に記載の搬送コンテナにおいて、
前記底板及び／又は前記側板は、合成樹脂によって形成されること、
を特徴とする搬送コンテナ。
【請求項３】
請求項１又は請求項２に記載の搬送コンテナにおいて、
前記突起部は、前記底板又は前記側板と一体であること、
を特徴とする搬送コンテナ。
【請求項４】
請求項１又は請求項２に記載の搬送コンテナにおいて、
前記突起部は、前記底板又は前記側板とは別体であること、
を特徴とする搬送コンテナ。
【請求項５】
底板と、前記底板の周縁に沿って設けられた側板とを有し、外部機器と非接触で通信可能なＩＣタグを外側の面に備えた搬送コンテナに装着されるＩＣタグ通信保護部材であって、
複数の凸状の部材を有した突起部と、
前記搬送コンテナの内側の面に前記突起部を固定する固定手段と、
を備えるＩＣタグ通信保護部材。
【発明の詳細な説明】
【技術分野】
【０００１】
本発明は、ＩＣタグを備えた搬送コンテナ及びＩＣタグ通信保護部材に関するものである。
【背景技術】
【０００２】
昨今、物流の高速化にともない、搬送物の搬送に使用されるコンテナは、非接触通信が可能なＩＣタグがコンテナの外側の側面などに取り付けられ、搬送物の搬送管理を効率よく実施している。しかし、このようなＩＣタグを備えたコンテナは、搬送物の内容物が金属や、水分を有するものである場合、搬送物をコンテナに収納したときに、その内容物である金属や水分がＩＣタグに接近し、ＩＣタグの通信機能に不具合を生じさせることがあった。そのため、ＩＣタグとコンテナとの間に樹脂などのスペーサを介在させて、ＩＣタグと搬送物との間に特定の距離を設ける対策などが、提案、実現されている（例えば、特許文献１参照）。
【０００３】
しかし、このような対策では、コンテナの外側にスペーサを介してＩＣタグが取り付けられた状態になるので、ＩＣタグがコンテナの外形から突き出る状態となり、搬送時に他のコンテナと接触するなどしてＩＣタグを破損する恐れがあった。
【特許文献１】特開２００２−２９８１０６号公報
【発明の開示】
【発明が解決しようとする課題】
【０００４】
本発明の課題は、スペーサによってＩＣタグが外側に突出するのを防止するとともに、ＩＣタグの非接触通信が収納物によって阻害されるのを防止することができる搬送コンテナ及びＩＣタグ通信保護部材を提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、底板（１３）と、前記底板（１３）の周縁に沿って設けられた側板（１１，１２）とを有した搬送コンテナ（１０）であって、当該搬送コンテナ（１０）の外側の面に固定され、外部機器と非接触で通信可能なＩＣタグ（２０）と、前記ＩＣタグ（２０）を固定した位置に対応する当該搬送コンテナ（１０）の内側の面に設けられ、複数の凸状の部材を有した突起部（１２Ａ）と、を備える搬送コンテナ（１０）である。
請求項２の発明は、請求項１に記載の搬送コンテナ（１０）において、前記底板（１３）及び／又は前記側板（１１，１２）は、合成樹脂によって形成されること、を特徴とする搬送コンテナ（１０）である。
請求項３の発明は、請求項１又は請求項２に記載の搬送コンテナ（１０）において、前記突起部（１２Ａ）は、前記底板（１３）又は前記側板（１１，１２）と一体であること、を特徴とする搬送コンテナ（１０）である。
請求項４の発明は、請求項１又は請求項２に記載の搬送コンテナ（１０−２）において、前記突起部（３１）は、前記底板（１３）又は前記側板（１１，１２）とは別体であること、を特徴とする搬送コンテナ（１０）である。
【０００６】
請求項５の発明は、底板（１３）と、前記底板（１３）の周縁に沿って設けられた側板（１１，１２）とを有し、外部機器と非接触で通信可能なＩＣタグ（２０）を外側の面に備えた搬送コンテナ（１０）に装着されるＩＣタグ通信保護部材（３０）であって、複数の凸状の部材を有した突起部（３１）と、前記搬送コンテナ（１０）の内側の面に前記突起部（１２Ａ）を固定する固定手段（３２）と、を備えるＩＣタグ通信保護部材（３０）である。
【発明の効果】
【０００７】
本発明によれば、以下のような効果がある。
（１）搬送コンテナは、その外側の面にＩＣタグを備え、そのＩＣタグと対応する搬送コンテナの内側の面に突起部を備えているので、ＩＣタグが、非接触通信を阻害されるのを防ぐために、搬送コンテナの外側の面から突出するような状態で固定されるのを防止することができ、搬送コンテナの搬送時などにおいて、ＩＣタグが他のコンテナなどと接触して破損してしまうのを防止することができる。
（２）底板及び／又は側板は、合成樹脂によって形成されているので、搬送コンテナを形成する部材がＩＣタグの非接触通信を阻害するのを防止することができる。
【０００８】
（３）突起部は、底板又は側板と一体であるので、側板や底板とともに突起部を一体成型で簡易に形成することができ、搬送コンテナの製造工程や、製造コストを減らすことができる。
（４）突起部は、底板又は側板と別体であるので、既存の搬送コンテナに突起部を後付けで取り付けることができ、ＩＣタグの通信不良を防止することができる。
（５）ＩＣタグ通信保護部材は、突起部と固定手段とを有しているので、既存の搬送コンテナの適切な位置に、突起部を容易に設けることができる。
【発明を実施するための最良の形態】
【０００９】
以下、図面等を参照して、本発明の実施形態をあげてさらに詳しく説明する。
（第１実施形態）
図１は、本発明による搬送コンテナの第１実施形態であるコンテナの模式図である。ここで、図１（ａ）は、搬送コンテナの斜視図を示し、図１（ｂ）は、収納物を収納した搬送コンテナの平面図を示し、図１（ｃ）は、図１（ｂ）のＡ部断面図を示す。また、図２は、突起部の斜視図である。ここで、説明を明確にするために、各図中に記載の＋Ｘ方向をコンテナの前方向とし、＋Ｙ方向を左方向、＋Ｚ方向を上方向とする。
【００１０】
コンテナ１０は、図１（ａ）に示すように、底板１３の周囲に沿って設けられた側板１１及び側板１２によって略直方体状に形成された搬送用の容器である。また、コンテナ１０は、側板１２に固定されたＩＣタグ２０と不図示のリーダライタ（外部機器）とが非接触通信することによって、コンテナ１０に収納された収納物の在庫管理などが行われる。ここで、説明を明確にするために、コンテナ１０の内側を形成する面を、それぞれ、側板１１の内側の面、側板１２の内側の面、底板１３の内側の面と呼び、また、コンテナ１０の外形を形成する面を、それぞれ、側板１１の外側の面、側板１２の外側の面、底板１３の外側の面と呼ぶものとする。
【００１１】
側板１１は、底板１３の２箇所の長辺部にそれぞれ沿うようにして設けられた合成樹脂製の板材である。
側板１２は、底板１３の２箇所の短辺部にそれぞれ沿うようにして設けられた合成樹脂製の板材である。２枚ある側板１２の一方（本実施形態では左側の側板１２）には、外側の面の上端近傍にＩＣタグ２０が固定されており、また、ＩＣタグ２０の固定位置に対応する内側の面に突起部１２Ａが側板１２と一体成型（例えば、射出成型）によって形成されている。
【００１２】
突起部１２Ａは、側板１２に固定されたＩＣタグ２０の非接触通信を保護するために設けられた部分であり、図２に示すように、複数（本実施形態では２行×２列）の凸部材で形成されている。具体的には、突起部１２Ａは、図１（ｂ）及び（ｃ）に示すように、コンテナ１０の内側に金属製の箱が収納物１００として収納されたときに、その収納物１００がＩＣタグ２０に接近しすぎないように、収納物１００とＩＣタグ２０との間に特定の距離を設けている。そして、突起部１２Ａで設けた距離によって、ＩＣタグ２０と不図示のリーダライタとの非接触通信が収納物１００の金属によって阻害されるのを防止している。ここで、収納物１００とＩＣタグ２０との距離は、１ｍｍ〜２０ｍｍの範囲が効果的であり、特に１０ｍｍが最適となる。
底板１３は、コンテナ１０の底に位置する矩形状の合成樹脂製の板部材である。
【００１３】
ＩＣタグ２０は、その内部に不図示のＩＣチップ及びアンテナなどを備えたタグであり、本実施形態では、ＩＣチップ内に収納物１００の情報を記録して、収納物１００の在庫管理に使用される。
収納物１００は、コンテナ１０内に収納される物品であり、本実施形態では、金属製の箱である。なお、ＩＣタグ２０の非接触通信に不具合を発生させる収納物は、金属製の箱のような金属製の物品だけでなく、水分を有するもの、例えば、水分を充填した容器なども含まれる。
【００１４】
以上より、本実施形態のコンテナ１０には以下のような効果がある。
（１）コンテナ１０は、その外側の面にＩＣタグ２０を備え、そのＩＣタグ２０と対応するコンテナ１０の内側の面に突起部１２Ａを備えているので、ＩＣタグ２０が、非接触通信を阻害されるのを防ぐために、コンテナ１０の外側の面から突出するような状態で固定されるのを防止することができ、コンテナ１０の搬送時などにおいて、ＩＣタグ２０が他のコンテナなどと接触して破損してしまうのを防止することができる。
【００１５】
（２）側板１１、側板１２及び底板１３は、合成樹脂によって形成されているので、コンテナ１０を形成する部材がＩＣタグ２０の非接触通信を阻害するのを防止することができる。
（３）突起部１２Ａは、コンテナ１０を形成する側板１２と一体であるので、突起部１２Ａを有したコンテナ１０を射出成型などの一体成型によって簡易に形成することができ、コンテナ１０の製造工程や、製造コストを減らすことができる。
【００１６】
（第２実施形態）
図３は、本発明による搬送コンテナの第２実施形態を示す断面図である。なお、以下の実施形態の説明では、前述した第１実施形態と同様な機能を果たす部分には、同一の符号又は末尾に統一した符号を付して、重複する説明や図面を適宜省略する。
【００１７】
第２実施形態のコンテナ１０−２と第１実施形態のコンテナ１０との相違点は、第１実施形態の突起部１２Ａの代わりに、通信保護部材（ＩＣタグ通信保護部材）３０が側板１２の内側の面に後付けで取り付けられている点である。
通信保護部材３０は、突起部３１と接着層（固定手段）３２とを備えている。突起部３１は、第１実施形態の突起部１２Ａと同様に複数の凸部材を有した部分であり、その複数の凸部材の付け根部に接着剤で形成された接着層３２が設けられている。通信保護部材３０は、ＩＣタグ２０の固定位置に対応する側板１２の内側の面に接着層３２によって固定される。
【００１８】
以上より、本実施形態の通信保護部材３０は、コンテナ１０−２の内側の面に後付けで固定されることによって、既存のコンテナ１０−２に容易に突起部３１を設けることができ、ＩＣタグ２０と収納物１００との間に特定の距離を設け、ＩＣタグ２０と不図示のリーダライタとの非接触通信が阻害されるのを防止することができる。
【００１９】
（変形形態）
以上説明した実施形態に限定されることなく、種々の変形や変更が可能であり、それらも本発明の範囲内である。
（１）各実施形態では、ＩＣタグ２０は、側板１２に固定した例で説明したが、側板１１や底板１３などの部材の外側の面に固定してもよい。ただし、その場合、突起部１２Ａや通信保護部材３０は、ＩＣタグ２０の固定位置に対応する部分の内側の面に設ける必要がある。
【００２０】
（２）各実施形態では、ＩＣタグ２０は、コンテナ１０に１個設けた例で説明したが、複数個設けてもよい。例えば、側板１１及び側板１２の両方に対してＩＣタグ２０を設けることによって、多数のコンテナ１０が縦横に積まれたような場合に、側板１１に固定したＩＣタグ２０が隣り合うコンテナに隠れてしまい通信不可能であったとしても、側板１２に固定したＩＣタグ２０からコンテナ１０の情報を読み取ることが可能になる。
（３）各実施形態では、コンテナ１０は、直方体の形状の例で説明したが、それ以外の形状、例えば、六角柱など多角柱の形状であってもよい。
なお、実施形態及び変形形態は、適宜組み合わせて用いることもできるが、詳細な説明は省略する。また、本発明は、以上説明した実施形態によって限定されることはない。
【図面の簡単な説明】
【００２１】
【図１】本発明による搬送コンテナの第１実施形態であるコンテナの模式図である。
【図２】突起部の斜視図である。
【図３】本発明による搬送コンテナの第２実施形態を示す断面図である。
【符号の説明】
【００２２】
１０  コンテナ
１１  側板
１２  側板
１３  底板
２０  ＩＣタグ
１００  収納物
【図１】
2009067392.tif 000003
【図２】
2009067392.tif 000004
【図３】
2009067392.tif 000005